(57)【要約】      （修正有）【課題】装着者の首部分を覆う日除け布を収納可能とした布製帽子を提供する。【解決手段】使用にあっては頭部を覆う頭被せ部１１とその周囲に設けられた環状庇１２とを有する布製帽子１０であって、環状庇１２の一部にファスナー１７付きのポケットを設け、ポケット内に装着者Ａの首部分を覆う日除け布１６の一端を固定して日除け布１６をポケット内に収納可能とし、更に、裏返した状態の頭被せ部１１及び環状庇１２には文字群及び図形のいずれか一方又は双方からなる書き物１４が表示されている。【選択図】図１
0003118755.tif 000002
【実用新案登録請求の範囲】
【請求項１】
使用にあっては頭部を覆う頭被せ部とその周囲に設けられた環状庇とを有する布製帽子であって、
前記環状庇の一部にファスナー付きのポケットを設け、該ポケット内に装着者の首部分を覆う日除け布の一端を固定して該日除け布を該ポケット内に収納可能とし、
更に、裏返した状態の前記頭被せ部及び前記環状庇には文字群及び図形のいずれか一方又は双方からなる書き物が表示されていることを特徴とする布製帽子。
【請求項２】
請求項１記載の布製帽子において、前記書き物はお経であって、前記書き物は白色生地の上に記載されていることを特徴とする布製帽子。
【請求項３】
請求項２記載の布製帽子において、前記日除け布の少なくとも裏側には、お経が記載されていることを特徴とする布製帽子。
【考案の詳細な説明】
【技術分野】
【０００１】
本考案は、装着者の首部分を覆う日除け布を備えた布製帽子に関する。
【背景技術】
【０００２】
従来、装着者の首部分を覆って紫外線を遮断するための日除けが、一体的にもしくは着脱可能に取付けられた帽子が知られている（例えば、特許文献１参照）。
【０００３】
【特許文献１】特開２００５−２２６１９４号公報
【考案の開示】
【考案が解決しようとする課題】
【０００４】
しかしながら、日除けが帽子本体に一体的に設けられている場合には、紫外線の弱い冬等で日除けを必要としないときに、日除けを取り外すことができないという問題があり、また、日除けが帽子本体に着脱可能に取付けられている場合には、取り外した日除けをなくしたり、保管場所を忘れる等のおそれがあるという問題があった。
【０００５】
本考案はかかる事情に鑑みてなされたもので、装着者の首部分を覆う日除け布を収納可能とした布製帽子を提供することを目的とする。
【課題を解決するための手段】
【０００６】
前記目的に沿う本考案に係る布製帽子は、使用にあっては頭部を覆う頭被せ部とその周囲に設けられた環状庇とを有する布製帽子であって、
前記環状庇の一部にファスナー付きのポケットを設け、該ポケット内に装着者の首部分を覆う日除け布の一端を固定して該日除け布を該ポケット内に収納可能とし、
更に、裏返した状態の前記頭被せ部及び前記環状庇には文字群及び図形のいずれか一方又は双方からなる書き物が表示されている。
【０００７】
本考案に係る布製帽子において、前記書き物はお経であって、前記書き物は白色生地の上に記載されているのが好ましい。
本考案に係る布製帽子において、前記日除け布の少なくとも裏側には、お経が記載されているのが好ましい。
【考案の効果】
【０００８】
請求項１〜３に記載の布製帽子においては、日除け布が環状庇の一部に形成されたポケット内に収納可能となっているので、日除け布を使用しない場合、ポケットに収納でき、邪魔にならない。また、日除け布の一端が固定されているので、紛失することがない。更に、裏側にひっくり返すと、文字群及び図形のいずれか一方又は双方からなる書き物が表示されているので、用途に合わせてこの布製帽子を使用できる。
【０００９】
請求項２記載の布製帽子においては、この布製帽子を裏返すと、白地にお経が記載されているので、例えば、巡礼等をする人にとって、敬虔な感じを起こさせると共に、巡礼時の首及び頭部の日除けとして使用できる。
請求項３記載の布製帽子においては、日除け布にもお経があるので、裏返した帽子全体にお経が記載されていることになり、全体として統一感がある。
【考案を実施するための最良の形態】
【００１０】
続いて、添付した図面を参照しつつ、本考案を具体化した実施の形態につき説明し、本考案の理解に供する。
ここで、図１は本考案の一実施の形態に係る布製帽子を裏返した状態を示す説明図、図２は同布製帽子の表側を示す説明図、図３は同布製帽子の日除け布の取付け部分の説明図である。
【００１１】
図１〜図３を参照して、本考案の一実施の形態に係る布製帽子１０について説明する。
布製帽子１０は、使用にあっては装着者Ａの頭部を覆う頭被せ部１１とその周囲に設けられた環状庇１２とを有している。ここで、布製帽子１０は、リバーシブルとなっており、例えば、ポリエステルで形成された布に綿をパイル状に織り込んだ白地のパイル生地１３と、文字群及び図形のいずれか一方又は双方からなる書き物の一例であるお経、例えば般若心経１４が表示された白色の綿生地（手ぬぐい地）１５とを重ね合わせ周囲を縫って作製されている。
【００１２】
布製帽子１０は、通常は、パイル生地１３側を表として使用し、巡礼等を行う場合には、裏返して綿生地１５側を表とし、記載された般若心経１４が外から見えるようにする。また、布製帽子１０は、パイル生地１３側を表とした場合に、パイル生地１３側から綿生地１５に表示されている般若心経１４が透けないように、パイル生地１３が厚くなっている。なお、パイル生地１３と綿生地１５の間に他の生地や厚紙等を挟んで、パイル生地１３側から般若心経１４が透けないようにしてもよい。
【００１３】
また、環状庇１２の一部にはファスナー１７付きのポケット１８が設けられ、ポケット１８内には装着者Ａの首部分を覆う日除け布１６の一端が固定され、ポケット１８内に日除け布１６が収納できるようになっている。ここで、ポケット１８は、外側縁部にファスナー１７が形成された部分の環状庇１２を構成する綿生地１５とパイル生地１３との隙間によって形成されている。また、日除け布１６は、頭被せ部１１及び環状庇１２と同様に、表側がパイル生地１３で形成され、裏側が般若心経１４が記載された白色の綿生地１５で形成されている。
【００１４】
従って、布製帽子１０を裏返して使用する場合、頭被せ部１１、環状庇１２、及び日除け布１６の全体に般若心経１４が記載され、全体として統一感があると共に、例えば、巡礼等をする人にとって、敬虔な感じを起こさせる。また、日除け布１６が設けられているので、巡礼時の首及び頭部の日除けとして使用できる。なお、本実施の形態では、ファスナー１７をジッパーとしたが、ボタンやホックあるいは面状ファスナーの一例であるマジックテープ（登録商標）であってもよい。
【００１５】
図３に示すように、日除け布１６はその一端が、環状庇１２を形成する綿生地１５のファスナー１７の内側（ポケット１８内）に取付けられており、日除け布１６を紛失することがなくなる。布製帽子１０を裏返して、ファスナー１７を開けて日除け布１６をポケット１８から出して装着者Ａが布製帽子１０を被った場合、ポケット１８が開いているが、その開口部は日除け布１６によって隠すことができる（図１参照）。なお、ポケット１８内の綿生地１５及びパイル生地１３の対面する場所に１又は複数組のホック又はマジックテープ（登録商標）等を設け、ポケット１８を閉じるようにしてもよい。
【００１６】
本考案は、前記した実施の形態に限定されるものではなく、本考案の要旨を変更しない範囲での変更は可能であり、例えば、前記した実施の形態や変形例の一部又は全部を組み合わせて本考案の布製帽子を構成する場合も本考案の権利範囲に含まれる。
例えば、前記実施の形態の布製帽子において、書き物として、般若心経を表示したが、般若心経以外のお経を含む文字群や仏画等の図形を表示してもよい。また、本考案の布製帽子は、表側及び裏側をそれぞれパイル生地及び綿生地で作製したが、その他の生地で作製してもよい。また、実質的に白色の生地で作製したが、表側はその他の色の無地でもよく、また、柄の付いた生地で作製してもよい。布製帽子に使用する生地は、前記した綿生地及びパイル生地以外の、毛、麻、ポリエステル、ナイロン等であってもよい。
【図面の簡単な説明】
【００１７】
【図１】本考案の一実施の形態に係る布製帽子を裏返した状態を示す説明図である。
【図２】同布製帽子の表側を示す説明図である。
【図３】同布製帽子の日除け布の取付け部分の説明図である。
【符号の説明】
【００１８】
１０：布製帽子、１１：頭被せ部、１２：環状庇、１３：パイル生地、１４：般若心経、１５：綿生地、１６：日除け布、１７：ファスナー、１８：ポケット
【図１】
0003118755.tif 000003
【図２】
0003118755.tif 000004
【図３】
0003118755.tif 000005